(57)【特許請求の範囲】
【請求項１】
ベゼル（２０；２０’）に固定されたガラス蓋（１６）、中間部材（２４）および裏蓋（２２；２２’）を有するケース（１４）内に取り付けられているケーシングリング（１２）内に取り付けられて、文字盤（４）を組み付けたムーブメント（２）を有する腕時計であって、
前記ケース（１４）は、
前記ケーシングリング（１２）を少なくとも部分的に取り囲むと共に前記中間部材（２４）によって取り囲まれた内側環状部材（３８；３８’）と、
該内側環状部材（３８；３８’）を介して前記裏蓋（２２；２２’）および前記ベゼル（２０；２０’）を連結するスナップ式はめ合わせ組み付け手段（６４、７６；６４’、７６’）と
を有しており、
前記内側環状部材（３８；３８’）、前記ケーシングリング（１２）、および、前記中間部材（２４）は、前記内側環状部材に対する前記ケーシングリング（１２）の角方向位置決めを行い且つ前記内側環状部材に対する前記中間部材（２４）の角方向位置決めを行い得るように構成され、それにより、前記ケーシングリング（１２）および前記中間部材（２４）を互いに対して角方向に位置決めできるように構成されている
ことを特徴とする腕時計。
【請求項２】
前記内側環状部材（３８；３８'）を囲む前記中間部材（２４）は内向きの突出部分（９６）を有し、前記内側環状部材（３８；３８'）によって囲まれる前記ケーシングリング（１２）は外向きの突出部分（９４）を有し、前記内側環状部材（３８；３８'）はこれらの突出部分に係合するスロットを有し、もって、前記内側環状部材とが、前記ケーシングリング（１２）および前記中間部材（２４）はを互いに対して角方向に位置決めできるように構成されている
ことを特徴とする請求項１記載の腕時計。
【請求項３】
前記内側環状部材（３８）は、前記ベゼル（２０）と一体化した部材になっていることを特徴とする請求項１又は２記載の腕時計。
【請求項４】
前記スナップ式はめ合わせ組み付け手段は、前記裏蓋から増加していく直径を有する切頭側壁（７２）を備えた裏蓋（２２）の軸方向環状縁部（６４）と、前記ケースの内部に向かって傾斜した前記内側環状部材（３８）の弾性変形可能な環状延出部分（７６）とを有しており、前記裏蓋（２２）および前記ベゼル（２０）を組み付けた時、前記環状延出部分が前記切頭側壁（７２）と協働して前記軸方向環状縁部（６４）を取り囲んで把持するようにしたことを特徴とする請求項３記載の腕時計。
【請求項５】
前記内側環状部材（３８’）は、前記裏蓋（２２’）と一体化した部材になっていることを特徴とする請求項１又は２記載の腕時計。
【請求項６】
前記スナップ式はめ合わせ組み付け手段は、前記環状部材から増加していく直径を有する切頭側壁（７２’）を備えた、前記内側環状部材（７６’）の延長である軸方向環状縁部（６４’）と、前記ケースの内部に向かって傾斜した前記ベゼル（２０’）の弾性変形可能な環状延出部分（７６’）とを有しており、前記裏蓋（２２’）および前記ベゼル（２０’）を組み付けた時、前記環状延出部分が前記切頭側壁（７２’）と協働して前記軸方向環状縁部（６４’）を取り囲んで把持するようにしたことを特徴とする請求項５記載の腕時計。
【請求項７】
前記内側環状部材（３８；３８’）は、前記裏蓋（２０；２２’）に向かって開放した軸方向スロット（９８）を有しており、該スロットに前記ケーシングリング（１２）の外向き突出部分（９４）および前記中間部材（２４）の内向き突出部分（９６）が貫入して、前記リングおよび前記中間部材を互いに対して角方向に位置決めできるようにしたことを特徴とする請求項１又は２記載の腕時計。
【請求項８】
前記内側環状部材（３８）は、前記中間部材（２４）の内向き突出部分（９６）および前記ケーシングリング（１２）の外向き突出部分（９４）がそれぞれ貫入する外側軸方向溝（９８ａ）および内側軸方向溝（９８ｂ）を有して、前記リングおよび前記中間部材を互いに対して角方向に位置決めできるようにしたことを特徴とする請求項１又は２記載の腕時計。
【請求項９】
前記中間部材（２４）は、それぞれ前記ベゼルおよび前記裏蓋の溝（８２、９０）にはめ込まれた２つの環状シールガスケット（８４、９２）間に締め付けられることによって、前記ケース（１４）の前記ベゼル（２０；２０’）と前記裏蓋（２２；２２’）の間で浮動するように取り付けられていることを特徴とする請求項１又は２記載の腕時計。
【請求項１０】
前記ベゼル（２０；２０’）、前記裏蓋（２２；２２’）および前記内側環状部材（３８；３８’）は金属製であり、前記中間部材（２４）はプラスチック材製であることを特徴とする請求項１又は２記載の腕時計。
【発明の詳細な説明】
【０００１】
【発明の属する技術分野】
本発明は、文字盤が取り付けられ、かつベゼルに固定されたガラス蓋、中間部材および裏蓋を有するケース内に取り付けられているケーシングリング内に組み込まれたムーブメントを有する腕時計に関する。
【０００２】
【従来の技術】
この形式の腕時計では、文字盤に対してガラス蓋および／またはベゼルのセンタリングおよび角方向位置決めを行うことが必要な場合が多い。
【０００３】
これは、たとえば、ガラス蓋またはベゼルに、時間を表示するために針と協働する記号または数字が記されている時や、異なった時間帯に位置する都市の名前がベゼルに記されている時や、さらにはさまざまな符号または商標などである伝達物がガラス蓋の下側に付けられている時である。
【０００４】
これはまた、腕時計が、文字盤に設けられた開口の背後に順番に現れる数字を付けた日付リングまたはディスクを有し、ガラス蓋が数字拡大用のレンズを有する場合である。
【０００５】
さらに、ムーブメントの時間設定ステムを中間部材およびケーシングリングに挿通するためだけの場合も、そのような腕時計では、２つの部材を互いに対して角方向および軸方向の両方に適切に位置合わせすることが必要である。
【０００６】
ムーブメントを収容しているケーシングリングとケースのさまざまな部材との位置決めおよび組み付けが中間部材を介して、すなわち、中間部材を基準部材として利用することによって行われることが非常に多く、この場合、それをある程度複雑な形状にして、精密に製造する必要がある。したがって、そのコストが相当に高い。
【０００７】
さらに、ケースのベゼル、中間部材および裏蓋をねじで組み付けることがしごく一般的である。たとえば、中間部材に、ベゼルにねじ付けるための第１の一連の穴と、裏蓋にねじ付けるための第２の一連の穴とを設けることが周知である。そのような場合、中間部材のコストが高くなるだけでなく、ケース全体のコストも高くなる。
【０００８】
【発明が解決しようとする課題】
本発明の目的は、上記の従来型腕時計の場合よりはるかに簡単かつ経済的なやり方で、ケース部材を製造し、かつムーブメントのケーシングリングに互いに組み付けることができる腕時計を提供することである。
【０００９】
【課題を解決するための手段】
特にこの目的は、本発明による時計では、ケースがさらに、ケーシングリングを少なくとも部分的に取り囲むと共に中間部材によって取り囲まれた内側環状部材と、内側環状部材を介して裏蓋およびベゼルを連結するスナップ式はめ合わせ組み付け手段とを有しており、この環状部材が、ケーシングリングおよび中間部材を互いに対して角方向に位置決めできるように構成されていることによって達成される。
【００１０】
【発明の実施の形態】
図１〜図３に示されているように、本発明に従った腕時計は、文字盤４を固定したムーブメント２を有しており、ムーブメントは、文字盤の上方を移動する秒針６、分針８および時針１０を駆動する。
【００１１】
ムーブメント２および文字盤４は、ケーシングリング１２の内部に取り付けられており、ケーシングリングは、後述する理由から、高温時に可塑鍛造できる材料で形成されており、それ自体はケース１４内に取り付けられている。
【００１２】
このケース１４は、円筒形縁部１８を有するガラス蓋１６と、ガラス蓋を取り囲む金属ベゼル２０と、やはり金属製の裏蓋２２と、やはり金属製にすることもできるが、プラスチック製であることが好ましい中間部材２４とを有している。中間部材には、竜頭３０を備えて時計ムーブメント２の一部を形成している時間設定ステム２８を通すための穴２６が３時の位置に貫設されている。図１に示されているように、ステムと中間部材２４との間に配置されたＯリングジョイント３２が、ステム２８およびケース１４間を確実に密封している。さらに、この中間部材２４は、時計バンド（図示せず）をケース１４に取り付けることができるようにする手段を備えている。図示のように、この手段は、図示しないステムを通すための整合穴３６を有する２群のフィン３４によって形成されている。しかし、この手段を別のものにして、たとえば、従来のホーン対によって形成することもできる。
【００１３】
最後になるが、ケース１４はさらに、ベゼル２０を裏蓋２２に連結する内側環状部分３８を有しており、これはケーシングリング１２を取り囲み、またこれ自体は中間部材２４によって取り囲まれており、本発明に従った腕時計の第１実施形態では、ベゼル２０と一体化した部材になっている。
【００１４】
また、上記の腕時計のさまざまな部材を互いに対して位置決めする仕方については、それらの部材の組み立て方と共に、必要な時に説明する。
【００１５】
最初に、図１および図２に示されているように、ムーブメント２の外周にフランジ４０が設けられており、これは、時間設定ステム２８を通すためにケースの裏蓋２２の方向に開いた貫通軸方向リセス、さらに正確に言うとスロット４４をリングに設けた場所を除いてほぼ遊びのない状態でムーブメントを取り囲むケーシングリング１２の内側突出部分４２に当接し、これによって、ケーシングリング内でのムーブメント２の軸方向位置決めおよび半径方向位置決めの両方が確実に行われる。ムーブメントの角方向位置決めに関して言うと、これは、図３の時計のように、すなわち、正確に時間設定ステムの軸の延長線上に位置してムーブメントの対応リセスまたは穴にはまったケーシングリングのガイドスタッド４６によって行うことができる。
【００１６】
図１および図２に戻ると、ガラス蓋１６の円筒形縁部１８が環状部材３８の肩部分４８に当接しており、また、この縁部１８が、ベゼル２０と環状部材３８の上部、また同時にガラス蓋と肩部分４８間に位置する内側リング５０との間に押し込まれて、ガラス蓋を固定すると共に、シールガスケットを使用しなくてもケースをこの地点で防水できるようにしていることがわかるであろう。
【００１７】
さらに、内側リング５０が、肩部分４８の一部を形成している環状部材３８の環状突出部分５２より先へ延出していると共に、ムーブメント２よりわずかに大径の文字盤４をケーシングリング１２の肩部分５６に押しつける円筒形縁部５４を有して、アセンブリをケース内に取り付けた時、ムーブメント２をリング内で固定することができる。さらに、環状突出部分５２の底面と接触しているリング１２の上部分５８が環状部材３８の内側にリングを軸方向位置決めする手段の１つを形成している。その他の手段は、一連の円錐形突起６０によって形成され、裏蓋を環状部材３８に組み付けた時、この突起の先端が裏蓋２２の軸方向環状縁部６４の上面６２に当接して押し潰される。この理由から、ケーシングリングを可塑鍛造可能な材料製にする必要がある。図面は、押し潰された突起６０の先端を示していないが、これは、腕時計ケース内のケーシングリング用の軸方向位置決め手段としてそのような突起を使用することの利点も述べているヨーロッパ特許第ＥＰ−Ａ−１  ０４６  ９６７号に明確に説明されている。
【００１８】
ケーシングリング１２の半径方向位置決めに関して言うと、これは、リングの外壁の円筒形部分６６と内側環状部材３８の内壁の対応の円筒形部分６８との間の密接な接触によって簡単に行われる。図１の左部分と右部分とを比較すれば、この図面において、時間設定ステム２８を通すために、互いに整合すると共に中間部材２４の穴２６と整合したケーシングリングのスロット４４および環状部材の対応スロット７０のために、これらの円筒形部分６６および６８の高さが制限されていることがわかるであろう。以下の説明で理解されるように、ケーシングリングおよび中間部材用の角方向位置決め手段のためのスペースを設けるために、これらの円筒形部分６６および６８の高さが別の部分でも減少しており、この角方向位置決め手段は本発明の一部を形成しており、詳細に後述する。
【００１９】
本明細書に記載した本発明による腕時計の実施形態では、裏蓋２２の環状縁部６４が、環状部材３８を介して裏蓋２２およびベゼル２０をスナップ式にはめ合わせる組み付け手段の一部を形成している。このために、それは、直径が底部から増加していく切頭側壁７２と、この壁７２を上面６２に結合する面取り部分７４とを有する。この組み付け手段の相手側の部材は、ケースの内部に向かって傾斜した環状部材３８の環状延出部分７６によって形成されており、その厚さは、裏蓋および環状部材３８を組み付けた時に弾性的に変形できるように小さくなっている。さらに正確に言うと、縁部６４を環状延出部分７６の縁部と接触させて、裏蓋に圧力を加えた時、この延出部分７６が縁部６４の面取り部分７４によって外側に押し戻されてから切頭側壁７２上へ摺動し、上面６２が環状部材３８に当接した時、この縁部６４を完全に取り囲んで把持し、前述したように、ケーシングリング１２の突起６０を押し潰す。
【００２０】
また、裏蓋２２および環状部材３８の組み付けによって、ムーブメント２、文字盤４およびケーシングリング１２によって形成されたアセンブリを所定位置に保持するだけでなく、すでに環状部材３８の周囲に位置決めして設置されている中間部材２４も保持することができる。これを行うため、裏蓋２２は、縁部６４よりはるかに小さい外周縁部を備えた環状部分７８で環状縁部６４より先へ延出しており、この外周縁部は、第１シールガスケット８４をはめ込んだ中間部材２４の環状溝８２に係合する。さらに、ベゼル２０も外周縁部８６を有し、これは中間部材の環状溝８８に貫入し、このベゼル２０にも、第２シールガスケット９２をはめ込んだ環状溝９０が設けられている。
【００２１】
ケーシングリング１２および中間部材２４用の角方向位置決め手段に戻ると、図１および図２から、これらの手段が、互いに向き合ったリングの外向き突出部分９４および中間部材の対応の内向き突出部分９６を有し、これらの突出部分が、環状部材３８の底部に向かって開放した別のスロット９８にはまっていることがわかるであろう。図面に示されているように、平行六面体の形であることが好ましいこれらの突出部分９４および９６は、同一高さであって、正確に互いに向き合うように配置されているが、そうでなくてもよい。これらの突出部分は、異なった高さを有し、かつ／または互いに軸方向にわずかにずれていてもよい。重要なことは、それらが同一幅を有し、その幅が環状部材のスロット９８の幅と同一であって、遊びをなくしてリングおよび中間部材を角方向に位置決めできるようにすることである。反対に、これらの突出部分を図示のような１２時の位置ではなく、時間設定ステム２８が位置する３時位置と異なって、それから十分に離れた場所であれば、６時または別の場所にしてもよい。
【００２２】
以上の説明から、本発明に従った腕時計では、中間部材２４がケースのその他の部材の位置決めおよび組み付けに役割を果たしていないだけでなく、ケース内でのムーブメント２およびケーシングリング１２の組み付けにも役割を果たしていないことが明らかである。したがって、それを単純な形状にして、容易に製造することができる。
【００２３】
さらに、図１〜図３に部分的に示されているように、この中間部材を環状部材３８に対して正確に角方向に位置決めしなければならない場合でも、シールガスケット８４および９２が許す限り、それはわずかな軸方向および半径方向遊びを有することができる。そのような場合、中間部材が、ベゼル２０と裏蓋２間で浮動するように取り付けられる。その結果、中間部材は、腕時計のその他の部材のためのショックアブソーバとして機能する一方で、プラスチック材料の成型などによって非常に大きい公差で製造することができ、これによってその着色や、もっと一般的にはその外観を、時計バンドや腕時計などに組み付けるための手段を含めて、容易に変更することができる。
【００２４】
最後になるが、ケースの部材や、ケース内のムーブメントおよびケーシングリングの部材が、ねじ、ピンおよびこの種類の他の手段を使用した位置決めおよび組み付けが行われないので、これらの作業が非常に容易になり、完成した腕時計のコストが相当に低下する。
【００２５】
図４の変更例では、中間部材２４およびケーシングリング１２がやはりそれぞれの突出部分９６および９４を有するが、これらの突出部分は互いに向き合っておらず、また、単一の軸方向リセスではなく、それぞれケース１４の内側環状部材３８の外側軸方向リセス９８ａおよび内側軸方向リセス９８ｂである２つの軸方向リセスにはまっている。図示のように、これらの突出部分９６および９４およびこれらの溝９８ａおよび９８ｂは１２時および６時の位置にあるが、そうでなくてもよい。さらに、中間部材２４に関する作用について前述したすべてのことが当てはまる。
【００２６】
本発明に従った腕時計の図１および図３の実施形態と図５および図６の実施形態との差異は、ケース１４が、第１実施形態ではベゼルによって、第２実施形態では裏蓋によって組み付けられることにある。したがって、これらの差異は実質的に、ケースのベゼル、裏蓋および環状部材と共に、これらの部材の組み付け方だけに関する。どちらの場合も腕時計のその他の部分はすべて同じであるので、同じ参照番号で表す。
【００２７】
第２実施形態と第１実施形態とのこれらの差異を表すために、図５および図６と図１および図２との両方を参照する。
【００２８】
これらの差異の１つは、内側環状部材３８’が、ベゼル２０’ではなく裏蓋２２’と一体化していることである。図５に示すように、この環状部材３８’は、ケーシングリング１２の突起６０が当接する肩部分１００を有し、図１および図２の実施形態の縁部６４と同一形状の縁部６４’で上方に延出しており、その上面６２’がケーシングリングの上縁部と同一高さに位置している。
【００２９】
さらに、この縁部６４’は、先行例と同様にして、ベゼル２０’の環状延出部分７６’と協働して、管状部分３８’を介してベゼルを裏蓋２２’に連結することができる。
【００３０】
最後になるが、２つの実施形態の最後の差異は、第１実施形態の肩部分４８および突出部分５２が、第２実施形態ではベゼル２０’の環状部分１０２に代わっており、これが、ガラス蓋１６の円筒形縁部１８と内側リング５０、また同時に縁部６４’の上面６２’とケーシングリング１２の上縁部との間に把持されている。
【００３１】
また、本発明が、２つの実施形態や記載した変更例だけでなく、考えられる他の変更例にも制限されないことは明らかである。
【００３２】
特に、リングおよび中間部材の角方向の位置決めを行うために、ケーシングリングおよび中間部材に複数の突出部分を設け、内側環状部材に複数のスロットまたは３つ以上の溝を設けることができ、これは特に重いムーブメントの場合に当てはまり、これによってムーブメントの角方向衝撃に対する耐性が改善されるであろう。
【００３３】
さらに、環状部材を介してベゼルおよび裏蓋をスナップ式にはめ合わせて組み付ける手段は、以上に記載したものと異なってもよい。
【図面の簡単な説明】
【図１】本発明に従った腕時計の第１実施形態の、３時の位置における全体的断面図である。
【図２】この第１実施形態の、１２時の位置における部分断面図である。
【図３】図１のＩＩＩ−ＩＩＩ線に沿った縮小断面図である。
【図４】先行図面の実施形態の変更例を示す、図３と同様な断面図である。
【図５】本発明に従った腕時計の第２実施形態を示す、図１と同様な断面図である。
【図６】本発明に従った腕時計の第２実施形態を示す、図２と同様な断面図である。
【符号の説明】
２  ムーブメント
４  文字盤
１２  ケーシングリング
１６  ガラス蓋
２０  ベゼル
２２  裏蓋
２４  中間部材
３８  内側環状部材
６４  軸方向環状縁部
７２  切頭側壁
７６  環状延出部分
８２  裏蓋の溝
８４  環状シールガスケット
９０  裏蓋の溝
９２  環状シールガスケット
９４  外向き突出部分
９６  内向き突出部分
９８  軸方向スロット
９８ａ  外側軸方向溝
９８ｂ  内側軸方向溝
【図１】
0004369113.tif 000002
【図２】
0004369113.tif 000003
【図３】
0004369113.tif 000004
【図４】
0004369113.tif 000005
【図５】
0004369113.tif 000006
【図６】
0004369113.tif 000007